(57)【特許請求の範囲】
【請求項１】
１０μｍ〜２ｍｍの粒径を有する架橋された球形の共重合体ビーズであって、前記共重合体が、重合単位として、全単量体重量を基準として少なくとも５０重量％の無水メタクリル酸を含む、ポリ（無水メタクリル酸）である、前記架橋された球形のマクロポーラス共重合体ビーズ。
【請求項２】
ビーズが、５０μｍ〜１ｍｍの直径を有する、請求項１に記載の共重合体ビーズ。
【請求項３】
ビーズが、５〜１０，０００ｎｍの直径を有する孔を有し、該孔が、ビーズの容積の少なくとも５％である内部孔容積をビーズに与えている、請求項１に記載の共重合体ビーズ。
【請求項４】
共重合体が官能基で官能化されている、請求項１に記載の共重合体ビーズ。
【請求項５】
共重合体がカルボン酸官能基、アンモニウム塩官能基、およびアミン塩官能基からなる群から選択される少なくとも１つの官能基で官能化されている、請求項１に記載の共重合体ビーズ。
【請求項６】
（ａ）水性懸濁用媒質中に、単量体の少なくとも５０重量％である量の無水メタクリル酸、架橋性単量体、および単量体に可溶性の遊離基重合開始剤を含む単量体混合物の小滴を懸濁させ、（ｂ）これらの小滴を、単量体混合物が重合して共重合体ビーズを形成するまで、重合開始剤の分解温度以上に加熱し、（ｃ）これら共重合体ビーズを懸濁用媒質から分離することを含み、
前記単量体混合物が更にポロゲンを含有している、
請求項１に記載のマクロポーラス共重合体ビーズの製造方法。
【請求項７】
ポロゲンが、イソオクタン、メチルイソブチルケトン、メチルイソブチルカルビノール、キシレン、トルエンおよびジ−ｎ−ブチルエーテルから成る群から選ばれる、請求項６に記載の方法。
【請求項８】
タンパク質を請求項４に記載の共重合体ビーズと接触させ、該共重合体ビーズ上にタンパク質を吸着させることを含む、タンパク質回収方法。
【請求項９】
タンパク質が水性懸濁液になっている、請求項８に記載のタンパク質回収方法。
【請求項１０】
請求項９に記載のタンパク質回収方法であって、請求項４に記載の共重合体ビーズ上に吸着したタンパク質が、該共重合体ビーズから前記水性懸濁液とは異なる液体中に実質的に移される工程をさらに含む、タンパク質回収方法。
【発明の詳細な説明】
【０００１】
発明の分野
本発明は、架橋された不溶性共重合体に関する。更に詳細には、吸着剤およびイオン交換樹脂前駆体として使用するのに適した無水メタクリル酸の架橋された共重合体に関する。
【０００２】
発明の背景
アクリル酸およびメタクリル酸と架橋性単量体とを共重合することによって造られたイオン交換樹脂はよく知られており、そして弱酸のカチオン交換体として有用である。これらの酸の単量体は親水性であり、そして有意の程度まで水溶性であるので、これらの共重合体は、アクリル酸エステルおよびメタクリル酸エステルから造られた樹脂よりも懸濁重合によって造ることは難しい。これらのエステルは、比較的水に不溶性であり、かつ疎水性であり、その結果として、油相の小滴内で重合させ、比較的透明なビーズを形成させる。しかし、酸類は、同様に水性懸濁相内で部分的に重合する傾向があり、単量体を浪費しそして透明な重合体ビーズの形成に干渉する望ましくない水性相の重合体を生成する。
【０００３】
水性相中に溶解するための酸単量体のこの傾向を最少にするために、特別な技術を使用しなければならない。そのような技術の１つは、水性相に無機塩を添加して単量体を「塩析」させるか、または生じたブライン（ｂｒｉｎｅ）中での単量体の溶解性を、単量体の重合が望まれる油相に単量体を移動させる点まで減少させることである。前記の塩は、再使用のために、または廃水性相の生態的に責任のある処分のために、回収しなければならないだけでなく、それは、油相小滴を重合中にゆがめる原因になる傾向にある。これは、非球体の共重合体ビーズの形成を促進させ、そのようなビーズは、予想できない液圧の性質を有し、かつイオン交換樹脂カラム内への詰め込みを貧弱にする。
【０００４】
特に、多孔性樹脂のビーズは、ある種の用途のために、例えば急速な動的な性質（ｒａｐｉｄ  ｋｉｎｅｔｉｃ  ｐｒｏｐｅｒｔｉｅｓ）を有する吸着剤としてまたはイオン交換体として、有利である。多孔性は、多くの異った方法でビーズに導入される。Ｍｅｉｔｚｎｅｒ等の米国特許第４，２２１，８７１号に開示されているような、相分離剤を使用して巨大網状ビーズ（ｍａｃｒｏｒｅｉｔｉｃｕｌａｒ  ｂｅａｄｓ）を形成させることは、この多孔性を生成させる通常の１つの方法である。油相内のメタクリル酸は、水性相からいくらかの水を溶解するので、この水は、油相内の全単量体溶液の溶解性を減少させ、そして導入される相分離剤が存在しなくても相の分離が生起する。結果的には、メタクリル酸から巨大網状樹脂を製造することはより簡単であるが、しかし孔のパラメーター（ｐａｒａｍｅｔｅｒ）についての調節が制限される。
【０００５】
酸の無水物は、強酸または強塩基の存在において加水分解され、酸自体を生成することは知られている。酸無水物重合体例えば無水マレイン酸の重合体は、Ｓｅｍｏｎ等の米国特許第２，９８８，５４１号またはＨｕｅｐｅｒ等の米国特許第３，８７１，９６４号に開示されているような、次の反応例えばイオン交換官能化のために使用することができる共重合体の反応部位に導入される。無水メタクリル酸は、メタクリル酸のエステル類、アミド類およびニトリル類の広範囲の開示内において、弱酸カチオン交換体として次いで官能化することができる共重合体を製造するための単量体として開示されており（Ｋａｕｔｅｒの米国特許第２，３２４，９３５号）、そしてＢａｙｅｒの英国特許第８９４，３９１号には、オレフィン性不飽和カルボン酸類、エステル類および酸無水物類〔これらから、「スポンジ構造（ｓｐｏｎｇｅ  ｓｔｒｕｃｔｕｒｅ）を有する共重合体を造ることができる〕の広範囲の１つとして無水メタクリル酸が教示されているが、しかしそのような共重合体の実際の製造は示されていない。
【０００６】
その他の特許、例えばＫｒａｅｍｅｒ等の米国特許第４，０７０，３４８号、Ｌｏｈｍａｎｎ等の米国特許第３，７６４，４７７号およびＢａｒｎｅｓの米国特許第２，３０８，５８１号には、塊状重合または沈殿重合または逆相の懸濁重合であって連続した懸濁相は水性液体よりもむしろ有機液体である懸濁重合によって、無水メタクリル酸の共重合体が造られている。前記Ｌｅｈｍａｎｎ等には、１つの可能性として懸濁重合が述べられているが、しかし実際の製造は例示されていない。
【０００７】
発明の概要
本発明者は、吸着剤、親和性のあるクロマトグラフィー用物質、イオン交換樹脂およびこれらの物質の前駆体として有用な架橋された無水メタクリル酸共重合体のビーズであって、これらのビーズは、無水メタクリル酸の少なくとも約５０重量％およびポリエチレン性不飽和架橋性単量体の約０．１〜約５０重量％から成る混合物から重合される、前記の無水メタクリル酸共重合体のビーズを見出した。更に、本発明者は、調節された表面積および粒径を有するこれらの共重合体ビーズを製造する方法および多孔性ビーズを製造する場合には、また多孔度を調節できる方法を見出した。この方法は、
（ａ）  水性懸濁用媒質中に、単量体の少なくとも５０重量％である量の無水メタクリル酸、架橋性単量体、および単量体に可溶性の遊離基重合開始剤から成る単量体混合物の小滴を懸濁させ、
（ｂ）  これら小滴を、単量体混合物が重合して共重合体ビーズを形成するまで、重合開始剤の分解温度以上に加熱し、
（ｃ）  これら共重合体ビーズを懸濁用媒質から分離する
ことから成っている。
【０００８】
発明の詳細
他の単量体はメタクリル酸と共重合して本発明の共重合体ビーズを形成するが、共重合体は主としてポリ（無水メタクリル酸）である。本明細書で用いられている用語「主として（ｐｒｅｄｏｍｉｎａｎｔｌｙ）」は、指示された重合体、本発明のケースにおいてはポリ（無水メタクリル酸）、の重合単位を少なくとも５０重量％含有していることを意味している。
【０００９】
無水メタクリル酸と共重合して本発明の共重合体ビーズを形成する単量体は、全単量体の約０．１〜約５０重量％のレベルにおいて存在する少なくとも１種のポリエチレン性不飽和架橋性単量体を含有している。架橋性単量体は、脂肪族例えばアクリル系架橋剤、例えばジメタクリル酸エチレングリコール、ジアクリル酸エチレングリコール、ジ−およびトリ−アクリル酸トリメチロールプロパン、ジ−およびトリ−メタクリル酸トリメチロールプロパン、ジビニルケトン、アクリル酸アリル、マレイン酸ジアリル、フマル酸ジアリル、コハク酸ジアリル、炭酸ジアリル、マロン酸ジアリル、修酸ジアリル、アジピン酸ジアリル、セバシン酸ジアリル、セバシン酸ジビニル、Ｎ，Ｎ′−メチレンジアクリルアミド、Ｎ，Ｎ′−メチレンジメタクリルアミド、およびグリコールの、グリセロールの、ペンタエリトリトールの、グリコールまたはレゾルシノールのモノ−またはジ−誘導体の、ポリビニルエーテルまたはポリアリルエーテル等、であり、または芳香族例えばスチレン系架橋剤、例えばジビニルベンゼン、トリビニルベンゼン、ジビニルトルエン、ジビニルナフタレン、フタル酸ジアリル、ジビニルキシレン、ジビニルエチルベンゼン等、であり、またはヘテロ環式架橋剤、例えばジビニルピリジン、である。そのような架橋性単量体は当業者にはよく知られている。
【００１０】
無水メタクリル酸と共重合する他の単量体には、他のアクリル系単量体、アクリル酸およびメタクリル酸およびそれらのエステル（これらには、Ｃ１  −Ｃ１８アルキルアルコール、シクロアルキルアルコール、アリールアルコール、アラルキルアルコールおよびアルカリルアルコールが包含される）が包含される。無水メタクリル酸と共重合する他の脂肪族単量体には、アクリロニトリルおよびメタクリロニトリル、塩化ビニル、ギ酸ビニル、ビニルアルキルエーテル例えばメチルビニルエーテル、アクリルアミド、メタクリルアミド、および芳香族単量体、例えばエチルビニルベンゼン、スチレン、α−メチルスチレン、ビニルトルエン、ビニルナフタレン等、が包含される。他の単量体は、単独で、または１種またはそれ以上の他の単量体の混合物として存在させることができる。無水メタクリル酸は、本発明の共重合体ビーズを製造するために有用な全ての単量体混合物中に少なくとも５０重量％のレベルで存在させる。
【００１１】
本発明の巨大多孔性共重合体ビーズは、無水メタクリル酸の少なくとも５０重量％を含有する単量体混合物を懸濁重合することによって造ることができる。懸濁重合においては、単量体混合物を、安定剤および安定な均一のサイズの小滴を促進させるための他の添加剤を任意的に含有している水性懸濁用媒質中に、小滴として懸濁させる。反応は、単量体混合物の中に遊離基を発生させることによって開始される。これら遊離基は、単量体の存在下で、遊離基発生性開始剤例えば過酸化物、過酸の塩、アゾ開始剤等の熱分解から生じ、またレドックス開始剤（ｒｅｄｏｘ  ｉｎｉｔｉａｔｏｒｓ）例えばｔ−ブチルハイドロパーオキサイドとホルムアルデヒドヒドロ亜硫酸ナトリウムとの併用、から生じ、または紫外線またはその他のイオン化性放射線からも生じる。重合を開始させるのに好ましい方法は、単量体混合物中に、単量体に可溶性の熱に不安定な開始剤を含有させ、そして単量体の小滴が懸濁している懸濁用媒質を、開始剤の熱分解点以上の温度に加熱することである。
【００１２】
そのような単量体に可溶性の熱に不安定な開始剤の例には、過酸化物およびハイドロパーオキサイドおよびそれらに関連する開始剤、例えば過酸化ベンゾイル、ｔ−ブチルハイドロパーオキサイド、過酸化クメン、過酸化テトラリン、過酸化アセチル、過酸化カプロイル、過安息香酸ｔ−ブチル、ジ過フタル酸ｔ−ブチル、メチルエチルケトンパーオキサイド等、が包含される。また、有用な開始剤は、アゾ開始剤、例えばアゾジイソブチロニトリル、アゾジイソブチラミド、アゾビス（α，α−ジメチルバレロニトリル）、アゾビス（α−メチルブチロニトリル）およびジメチル−、ジエチル−またはジブチル−アゾビス（メチルバレレート）、である。過酸化物開始剤は、好ましくは、単量体の全重量に基づいて約０．０１〜約３重量％のレベルにおいて使用し、そしてアゾ開始剤は、好ましくは、単量体の全重量に基づいて約０．０１〜約２重量％のレベルにおいて使用する。
【００１３】
好ましい開始剤は、比較的低分解点、すなわち約６０℃以下を有する開始剤、例えば、α−クミルパーオキシネオデカノエートおよびジ（４−ｔ−ブチルシクロヘキシル）パーオキシジカーボネートである。なぜなら、これらは、酸無水物官能基が、加水分解しそうでなく、また反応に存在する他の成分と反応しそうでない比較的低温度において重合を可能にするからである。
【００１４】
本発明の好ましい共重合体ビーズは巨大多孔性である。すなわち、前記共重合体ビーズは、約５〜約１０，０００ｎｍの直径を有する孔（ｐｏｒｅｓ）を含有しており、これらの孔は、ビーズ自体の容積の少なくとも約５％（５％孔容積）である内部孔容積をビーズに与えている。この多孔性の結果として、巨大多孔性ビーズの表面積は、（巨大多孔性を含有していない）ゲル重合体ビーズのための表面積よりも有意に大きい。この巨大多孔性を導入する１つの方法は、前述したＭｅｉｔｚｎｅｒ  ｅｔ  ａｌ．の米国特許第４，２２１，８７１号に開示されており、そしてそれには、単量体混合物に、沈殿剤として知られているポロゲン（ｐｏｒｏｇｅｎ）、相エキステンダー（ｐｈａｓｅ  ｅｘｔｅｎｄｅｒ）および相分離剤を導入することが包含される。ポロゲンは、単量体のための良好な溶剤であるが、重合体のためには貧弱な溶剤であり、そして好ましいポロゲンは、単量体または重合体と反応しない。本発明の共重合体ビーズを製造するのに有用な特に好ましいポロゲンには、イソオクタン、メチルイソブチルケトン、メチルイソブチルカルビノール、キシレン、トルエン、ジ−ｎ−ブチルエーテル等、が包含される。特に好ましいものは、より多く疎水性のポロゲン例えばイソオクタンおよびキシレンである。なぜなら、これらは、重合中に酸無水物基の加水分解を促進させようとしないからである。巨大多孔性重合体ビーズの孔のサイズおよび表面積は、当業者に容易に明らかな技術によって調節することができ、これらの技術には、ポロゲンのタイプおよび濃度、架橋剤のタイプおよび濃度、開始剤のタイプおよび濃度、重合温度等を変えることが含まれている。また、当業者に知られている、共重合体ビーズの中に巨大多孔性を導入する他の方法も使用することができる。
【００１５】
別法として、ゲル状のビーズまたは巨大多孔性ビーズのどちらにしても、前述の無水メタクリル酸単量体または単量体の混合物を使用して、共重合体ビーズを造る他の既知方法を用いて本発明の共重合体ビーズを造ることができる。種ビーズ（ｓｅｅｄ  ｂｅａｄｓ）として知られかつ単量体の中で膨潤性である予め形成した重合体ビーズの水性懸濁液に単量体を導入し、次いで、前記ビーズの中に入った単量体がそれらビーズを膨潤させ、重合する。この方法においては、重合体ビーズは架橋され、この場合には、無水メタクリル酸が唯一の単量体であり、または単量体混合物は、追加の架橋性単量体を省くことができる。また、重合体ビーズが未架橋であり、この場合には、単量体混合物に、好ましくは、架橋性単量体を含有させる。好ましくは、単量体混合物に重合開始剤を含有させる。この方法においては種粒子の生長を調節できるので、この種を用いる方法は、最終の粒径を効果的に調節できる。更に、種ビーズが均一の直径を有するビーズであるならば、粒径分類からの結果として、または均一な粒径の粒子を本質的に造る方法例えば乳化重合のような方法からの結果として、酸無水物を含有する結果的に得られる共重合体ビーズは、また大きさにおいて均一でありそして種ビーズより大きい。
【００１６】
また、均一な直径を有するビーズを造る傾向にある他の別法においては、懸濁している媒質の動いている流れの中に、均一の直径を有する１つまたはそれ以上のオリフィス（ｏｒｉｆｉｃｅｓ）を通して、調節された速度において、単量体混合物を噴射することによって、懸濁している媒質中に単量体混合物を導入することである。このようにして形成された単量体の小滴は均一の直径を有し、そして開始剤の分解点以上の温度に、懸濁している媒質中において、これらの小滴を加熱することによって重合するときは、その結果得られた共重合体ビーズは、粒径の均一性を保持している。これらのビーズは、形成されたビーズとして使用してもよいし、またそれらを、種ビーズをより大きな調節された大きさに生長させる前述の方法のための種ビーズとして役立たせてもよい。
【００１７】
これらの別法の両方、および本発明の共重合体ビーズを製造するために有用な方法として当業者に容易に思い出されるその他の方法において、前述のような、ビーズに多孔性を導入することは、好ましい態様である。
【００１８】
前述の方法のいずれかによって造られるビーズの大きさは、約１０μｍ〜約２ｍｍ、更に好ましくは約５０μｍ〜約１ｍｍの範囲にわたって調節することができる。懸濁重合における粒径の調節は、当業者には容易に明らかであり、そして油−水の界面における界面張力を変えること、いずれかの相または両方の相の粘度を変えること、および攪拌の速度を変えるような、そのような技術が包含される。
【００１９】
懸濁重合によって本発明の共重合体ビーズを製造する方法において明らかである本発明の特別な利益は、単量体の水に対する溶解性を減少させるために、水性懸濁用媒質中に、任意の無機塩または他の水溶性成分、例えば水性重合体の発生を減少するのに使用される水性相防止剤、を含有させる必要性を排除することである。前述のように、単量体の溶解性は、弱酸カチオン交換樹脂をメタクリル酸単量体から造るときに、特別な問題である。無水メタクリル酸単量体は比較的水に対して不溶性であるので、そのような塩および他の水溶性成分が存在することを必要としない。ただし、最も広く考えられているように、これらの存在は、本発明からそのプロセスを除外するものではない。
【００２０】
本発明の共重合体ビーズが形成されると、これらの共重合体ビーズは、イオン交換性またはキレート性（ｃｈｅｌａｔｉｎｇ）の官能基、特別な親和力のあるリーガンド（ｌｉｇａｎｄ）、または親水性または疎水性の部分の広範囲の寄せ集めのいずれか、またはこれらの組み合わせ、をビーズに導入するために、反応させてもよい。無水メタクリル酸単量体からの酸無水物官能基は、共重合体中に存在しており、特に反応性であり、そして他の官能基を結合させるための便利な反応部位を提供する。また、酸無水物を弱酸のカルボキシル基に加水分解することは、共重合体上にカチオン交換樹脂官能基を生成させるための１つの経路でもある。重合反応中に、酸無水物基の少なくとも部分（ｆｒａｃｔｉｏｎ）は加水分解されてカルボン酸を生成することは注目されるべきことである。この部分は、理論的に共重合体中に存在するであろう全酸無水物基の典型的には約２０％以下、しばしば約１５％以下、である。更に、水素形態における弱酸カルボキシル基を生成させるために酸を用いる加水分解、またはアルカリ金属形態における弱酸カルボキシル基を生成させるために水酸化アルカリ金属を用いる加水分解、が弱酸の官能化を増加させるのに使用される。
【００２１】
ビーズに官能基を生成させるのに使用される反応の他の例および得られる官能基には、カルボン酸基のアンモニウム塩を生成させるためのアンモニアを用いる反応、およびアミン塩を生成させるためのアミン（これには、第１アミン、第２アミン、および第３アミン、およびポリエチレンアミンが包含される）を用いる反応、が包含される。酸無水物重合体の他の適当な誘導体には、アルキルエステルまたはその他のエステルおよびアミド、好ましくはＣ１  −Ｃ８  アルキルエステルおよびアミド、およびアルキルアミド、ジアルキルアミド、アリールアミド、アルカリルアミドおよびアミン置換基を有するアルキルアミド、が包含され、これらは、重合体上のカルボキシル基を、適当なアミンまたはアルキルまたはフェニルアルキルアルコールと反応させることにより、またアミノエステル、アミノアミド、ヒドロキシアミドおよびヒドロキシエステルと反応させることにより、造られたものであり、それらの場合には、
官能基が、アルキレン、フェニル、アルキレンアミン、アルキレンオキサイド、フェニルアルキル、フェニルアルキルフェニルまたはアルキルフェニルアルキルまたは他のアリール基によって分離されているアミンまたはアミン塩（これらには第４級アミン塩基が包含される）を有する置換基は、重合体上のカルボキシル基を多官能性アミン例えばジメチルアミノエタノールと反応させて重合体とアミド結合を生成させることにより、またはある種の場合には、より高い温度を使用したときは、近隣のカルボキシルとイミド結合を生成することにより、または重合体上の酸無水物基を同じ多官能性アミンと反応させて、重合体とエステル結合を生成させることにより、便利に生成させることができる。同様に、硫黄含有誘導体は、酸無水物基をチオールおよびチオアルコールと反応させることによって造ることができる。共重合体ビーズのそのような官能化を行う方法は、当業者に容易に明らかであろうし、また重合体ビーズに導入してもよい追加の官能基も当業者に容易に明らかであろう。
【００２２】
ハイブリッド樹脂（ｈｙｂｒｉｄ  ｒｅｓｉｎｓ）は、本発明の巨大多孔性共重合体ビーズまたは官能化された樹脂ビーズの孔に、巨大多孔性ビーズを造るのに使用した単量体と同じかまたは異なる単量体を充填し、その単量体を重合し、次いで孔の中に新しく生成した重合体を、ビーズ上の官能基から異なる官能基で官能化して２重の官能基を有するビーズを生成させることにより造ることができる。別法として、従来技術からの巨大多孔性共重合体ビーズまたは官能化された樹脂ビーズの表面を、本発明の無水メタクリル酸単量体で被覆するか、または孔に本発明の無水メタクリル酸単量体を充填し、次いで重合して２重の官能基を有するハイブリッド樹脂または本発明の無水メタクリル酸重合体の被覆を有する巨大網状ビーズのいずれかを生成させることである。この後者の構造によって提供される利益には、ベースの巨大多孔性重合体の選択による動的な膨潤および拡散の調節、被覆されたビーズの改良された化学安定性、およびビーズの汚れ潜在性の減少が含まれる。
【００２３】
次の実施例には、本発明を例証することが意図されており、特許請求の範囲に限定されている以外は本発明を限定することは意図されていない。特にことわりがなければ、全ての％および比は重量によって表わしてあり、また使用された全ての試薬は、特にことわりがなければ良好な市販の品質のものである。
【００２４】
実施例１
この実施例は、無水メタクリル酸から本発明の巨大多孔性樹脂ビーズを製造することを例示している。
【００２５】
攪拌機、液体で冷却された冷却器およびサーモカップル用プローブ（ｔｈｅｒｍｏｃｏｎｐｌｅｐｒｏｂｅ）を備えた１リットルの４ツ口丸底フラスコに、脱イオン水４６２．４５ｇ、２％ヒドロキシエチルセルロース水溶液２７．５ｇ、分子量１１，０００〜３１，０００を有する９８％加水分解したポリビニルアルコールの１０％水溶液９．０ｇ、および亜硝酸ナトリウム０．１５ｇを仕込んだ。この仕込み物を３００ｒｐｍ  において１時間攪拌した。別に、ｏ−キシレン１２．５ｇ、８０％ジビニルベンゼン（残余は、主としてエチルビニルベンゼンである）４．７ｇ、無水メタクリル酸（純度９９．５％）３２．８ｇ、α−クミルパーオキシネオデカノエートの７５％ミネラルスピリット（ｍｉｎｅｒａｌ  ｓｐｉｒｉｔ）溶液０．５ｇおよびジ（４−ｔ−ブチルシクロヘキシル）パーオキシジカーボネート０．３７５ｇを混合することによって有機混合物を造り、その混合物を、開始剤が完全に液体中に溶解するまで攪拌した。１時間の攪拌時間の終りにおいて、有機混合物をゆっくりとフラスコに加えながら、フラスコ仕込み物の攪拌を続けた。有機混合物の添加を完了したときに、フラスコの内容物を、攪拌しながら１℃／分において３５℃に加熱し、次いで０．２℃／分において７５℃に加熱した。フラスコ内容物を攪拌しながら７５℃において１時間保持し、次いで室温に冷却した。得られたビーズを排水し、ビーズ容量と同じアセトンの量を用いて３回洗い、次いでブフナーロート（Ｂｕｃｈｎｅｒ  ｆｕｎｎｅｌ）内で減圧で乾燥した。乾燥後、共重合体ビーズの２５ｇ試料を、水酸化ナトリウムの５０％（重量／重量）水溶液１２０ｇを用いて処理し、脱イオン水３００ｍｌを用いて８０〜９０℃の温度において約３時間処理し、そして攪拌しながら一夜冷却して、共重合体の中の酸無水物基を弱酸のナトリウム塩に変換した。この反応に続いて、ビーズを脱イオンで水洗し、排水し、そして乾燥した。これらのビーズおよび次の実施例２〜６のビーズの性質を、後述の第１表に示した。
【００２６】
実施例２
この実施例は、同じ有機混合物、異った懸濁剤およびより低い最終重合温度にしたより急な温度分布を使用して、実施例１の巨大多孔性樹脂ビーズの製造に類似する本発明の前記ビーズの製造を例示している。
【００２７】
フラスコに入れた最初の仕込み物を、脱イオン水４４９．１５ｇ、カルボキシメチル−メチルセルロース０．７５ｇおよびラウリル硫酸ナトリウム０．０５ｇにし、そして反応混合物を、１℃／分において６０℃に加熱し、そしてその反応混合物を室温に冷却する前に、その温度において５時間保持した以外は、実施例１の手順を繰り返した。
【００２８】
実施例３
この実施例は、ジビニルベンゼンの代りにアクリル系架橋剤トリメチロールプロパントリメタクリレート、およびｏ−キシレンの代りに異った有機溶媒メチルイソブチルケトンを使用して、実施例２の巨大多孔性重合体ビーズの製造に類似する本発明の前記ビーズの製造を例示している。
【００２９】
実施例１の手順およびフラスコに入れる仕込み物および実施例２の加熱スケジュールを用い、別に、造った有機混合物としてメチルイソブチルケトン２３．０ｇ、トリメチロールプロパントリメタクリレート１０．０ｇ、無水メタクリル酸（純度９９．５％）２７．５ｇ、α−クパーオキシネオデカノエートの７５％ミネラルスピリット溶液０．５ｇおよびジ（４−ｔ−ブチルシクロヘキシル）パーオキシジカーボネート０．３７５ｇを使用して、重合体ビーズを造った。
【００３０】
実施例４
この実施例は、異った条件および試薬を使用して、本発明の巨大多孔性樹脂ビーズを製造する更に他の製造例を示している。
【００３１】
実施例１の手順を使用して、反応フラスコ中において、脱イオン水７５０ｇ、カルボキシメチルメチルセルロース１．２６ｇおよび純粋なラウリル硫酸ナトリウム粉末０．０９ｇの水性混合物を造り、これに、メチルイソブチルケトン５０．０ｇ、トリメチロールプロパントリメタクリレート３０．０ｇ、無水メタクリル酸（純度９２％）８２．５ｇ、α−クミルパーオキシネオデカノエートの７５％ミネラルスピリット１．０ｇおよびジ（４−ｔ−ブチルシクロヘキシル）パーオキシジカーボネート０．７６ｇの有機混合物を加えた。反応混合物を、１℃／分において５０℃に、０．５℃／分において５０℃〜５８℃に加熱し、５８℃において１．５時間保持し、次いで室温に冷却し、そして本発明の樹脂ビーズを回収し、乾燥し、そして実施例１に記載したように後処理した。
【００３２】
これらビーズの１部を、次の手順に従ってポリアミンを用いて官能化してアニオン交換樹脂を造った。乾燥共重合体ビーズの追加の０．６７７ｇ試料を１リットルの丸底フラスコに移し、そして脱イオン水２５０ｇに攪拌しながら懸濁させた。５００ｍｌビーカーの中で、トリエチレンテトラリン（ＴＥＴＡ）３．０ｇを脱イオン水２５０ｍｌに懸濁し、この懸濁させたアミンを、共重合体ビーズを含有するフラスコに、滴下しながら加えた。アミンの添加後、フラスコの内容物を５０℃に加熱してその温度において５時間保持し、その後冷却し、脱イオン水で水洗し、そして乾燥した。粒径の測定結果は、これらのＴＥＴＡで官能化したビーズである。
【００３３】
実施例５
この実施例は、異った有機混合物を使用する本発明の巨大多孔性樹脂ビーズの製造例を示している。
【００３４】
実施例１の手順および水性混合物および実施例４の温度分布を用い、有機混合物として、メチルイソブチルケトン５０．０ｇ、トリメチロールプロパントリメタクリレート１５．０ｇ、無水メタクリル酸（純度９２％）９７．５ｇ、α−クミルパーオキシネオデカノエートの７５％ミネラルスピリット溶液１．０ｇおよびジ（４−ｔ−ブチルシクロヘキシル）パーオキシジカーボネート０．７６ｇを使用して、樹脂ビーズを造った。この共重合体ビーズを回収し、乾燥し、そして実施例１の手順に従って後処理した。乾燥後、共重合体の試料を、実施例４に記載したようにＴＥＴＡ形態に変換した。粒径の測定結果は、これらのＴＥＴＡで官能化したビーズである。
【００３５】
実施例６
この実施例は、実施例３〜５のメチルイソブチルポロゲン（ｐｏｒｏｇｅｎ）と共に実施例１のジビニルベンゼン架橋剤の低レベルを使用する、本発明の巨大多孔性樹脂ビーズの製造例を示している。
【００３６】
実施例１の手順、実施例４および５の水性混合物、およびメチルイソブチルケトン３０．６４５ｇ、ジビニルベンゼン（純度８０％）２．５６３ｇ、無水メタクリル酸（純度９２％）４７．９５ｇ、α−クミルパーオキシネオデカノエートの７５％ミネラルスピリット溶液０．６６５ｇおよびジ（４−ｔ−ブチルシクロヘキシル）パーオキシカーボネート０．５ｇの有機混合物を使用して、樹脂ビーズを造った。反応混合物を、１℃／分において５０℃に加熱し、５０℃において４時間保持し、次いで室温に冷却した。これら重合体ビーズを回収し、乾燥し、そして実施例１の手順に従って後処理した。
【００３７】
シトクロム−ｃに対する吸着容量および回収の測定（Ｃｙｔｏｃｈｒｏｍｅ−ｃ  Ｃａｐａｃｉｔｙ  ａｎｄ  Ｒｅｃｏｖｅｒｙ  Ｄｅｔｅｒｍｉｎａｔｉｏｎ）
前述のようにして造った樹脂のそれぞれに対して、タンパク質、シトクロム−ｃを吸着しそして溶離する樹脂の能力について試験した。シトクロム−ｃの吸着容量、すなわち、樹脂が、樹脂の単位容量２０ｍｌにつき溶液から吸着できるシトクロム−ｃの量、を測定するために、各樹脂の湿潤試料を、内径２．５ｃｍおよび長さ少なくとも２０ｃｍを有するガラス製クロマトグラフィーのカラムに移すことによって各樹脂を前処理した。カラムの頂上に２バール（ｂａｒｓ）の空気圧を適用することによってカラムからフリーの液体（ｆｒｅｅ  ｌｉｑｕｉｄ）を押し出した。次いで、このカラムにＨＰＬＣ級のメタノールを充填し、同様にこのメタノールを２バールの圧力においてカラムを通して押し出した。メタノールの２００ｍｌがカラムを通して押し出されるまで、これを繰り返した。次いで、メタノールを押し出し、そして純粋な脱イオン水２００ｍｌを同じようにしてカラムを通して押し出した。水をカラムから押し出し、そして０．０５Ｍ酢酸塩緩衝溶液（氷酢酸３．０ｇを水１０００ｍｌに溶かし、５０％水酸化ナトリウム水溶液を用いてｐＨ５．４に調節した緩衝溶液）を同じようにしてカラムを通して押し出した。
【００３８】
前述のようにして前処理した樹脂の約２ｍｌ試料の正確な容量を測定し、そしてこれら試料を、酢酸塩緩衝溶液を用いて、樹脂＋緩衝溶液が８０ｍｌの全容量になるように希釈した。各試料を２５０ｍｌ容器に移し、そしてシトクロム−ｃ（Ｓｉｇｍａ  Ｃ−２５０６；Ｓｉｇｍａ  Ｃｈｅｍｉｃａｌ  Ｃｏ．，Ｓｔ．Ｌｏｕｉｓ，ＭＯ）の２０ｍｇ／ｍｌ酢酸塩緩衝溶液の２０ｍｌを速く加えた。この容器のふたを閉め、３０分間振盪し、その後樹脂を５分間沈降させた。その上澄み液の紫外線の吸光度を５５０ナノメーター（ｎｍ）において測定し、そして標準のシトクロム−ｃの紫外線吸光度と比較して、濃度未定のシトクロム−ｃの濃度を測定した。樹脂のシトクロム−ｃ吸着容量は次の式１を用いて計算した：
【式１】
吸着容量＝（４００−（１００×Ｃｓ  ））／Ｖｒ      （式１）
【００３９】
〔式中、Ｃｓ  は、上澄み液中のシトクロム−ｃの濃度（ｍｇ／ｍｌ）であり、そしてＶｒ  は、樹脂試料の容量（ｍｌ）である〕
【００４０】
シトクロムの回収、すなわち、樹脂から溶離することができる樹脂に吸着されたシトクロム−ｃの量は、前述の吸着容量測定からの各２ｍｌ試料の全てを、内径１ｃｍを有するガラス製クロマトグラフィーカラムに移し、そしてそれらを、酢酸緩衝溶液を用いてすすいで、残留しているシトクロム−ｃ溶液のできるだけ多くを除去することによって測定した。次いで、０．５Ｍ塩化ナトリウム酢酸緩衝溶液の正確に１００．０ｍｌを１ｍｌ／分の速度において各樹脂試料を通して流し、集めた塩化ナトリウム溶液の紫外線吸光度を５５０ｎｍにおいて測定した。塩化ナトリウム溶液中の濃度未定のシトクロム−ｃの濃度を標準溶液と比較することにより、前述のようにして測定し、樹脂の回収を次の式２から計算した：
【式２】
回収（％）＝（１００×Ｃｒ  ）／（Ｖｒ  ×吸着能力）    （式２）
【００４１】
〔式中、Ｃｒ  は、塩化ナトリウム溶液中のシトクロムの濃度（ｍｇ／ｍｌ）である〕。吸着容量は、式１によって計算されたような樹脂のシトクロム−ｃ吸着容量であり、Ｖｒ  は、前述のように、樹脂試料の容量である。実施例１〜６の樹脂のためのこれらの測定の両者の結果を、次の第１表に示した。
【００４２】
次の第１表に示されているのは、実施例４、５および６の共重合体のストレプトマイシン吸着容量の測定の結果である。これらの結果は、湿潤樹脂の１ｍｌあたりのストレプトマイシンの活性単位で示されている。ストレプトマイシン硫酸塩の各ｍｇは、７６７ストレプトマイシンの活性単位にほとんど等しい。
【００４３】
また、次の第１表には、従来技術の２種の異った粉砕されそして分類された、弱酸の巨大多孔性のメタクリル酸−ジビニルベンゼン樹脂が示されている。その１つ（比較例Ａ）は、１５０〜３００μｍの範囲の粒径分布を有し、そして他のもの（比較例Ｂ）は、７５〜１０５μｍの範囲の粒径分布を有している。
【表１】
0003594629.tif 000002
【００４４】
前記の実施例１〜６および第１表から見られるように、本発明の樹脂のイオン交換容量は多くの目的のためには満足するものであり、タンパク質例えばシトクロム−ｃおよびストレプトマイシンのための吸着能力および回収は、良好〜優秀の範囲にあり、そして樹脂自体は、単量体の溶解性の問題を排除するための塩析を伴う手順を念入りに行う必要もなく造ることができる。
【００４５】
実施例７
この実施例は、実施例２の懸濁助剤を使用し、かつポロゲンを省いて、本発明の架橋された球形のゲル状の共重合体ビーズを製造する方法を例示している。
【００４６】
２リットルの丸底フラスコ中において、脱イオン水９５８．４７ｇ、カルボキシメチル−メチルセルロース１．４４ｇ、およびラウリル硫酸ナトリウム０．０８６４ｇを、固体物質が溶解するまで攪拌することにより、水性相を造った。別に、市販ジビニルベンゼン（純度５５％）８８．８７ｇ、無水メタクリル酸（純度９４％）１６３．９７ｇ、ジ（４−ｔ−ブチルシクロヘキシル）パーオキシジカーボネート開始剤４．８ｇおよびα−クミルパーオキシネオデカノエート開始剤３．２ｇを、開始剤が溶解するまで攪拌して、有機相を造った。この有機相を、攪拌しながら水性相に添加して水性相中に有機物の小滴の懸濁液を生成させた。この混合物を、０．５℃／分において２５℃〜６０℃に加熱し、そして６０℃において４時間保持した。発熱のために、温度は２０分間で６５℃に上昇した。反応時間の終りにおいて、フラスコ内容物を冷却し、ブフナーロート内で固体物質を液体から分離し、固体物質をアセトンで洗った。この固体物質は、架橋された球形の、非多孔性またはゲル状の共重合体ビーズの形態をしていた。